(57)【要約】【課題】過電流保護がかかった後に意図せず復帰することを防止することができる電源装置を提供する。【解決手段】本発明に係る電源装置は、電力供給ラインと、前記電力供給ラインを流れる電流を検出し、検出した電流の値に応じた電流検出信号を生成する電流検出手段（例えば電流検出用抵抗１３及び差動増幅器１６）と、前記電流検出信号をラッチするラッチ手段（例えばセットリセットフリップフロップ１７）と、前記ラッチ手段の出力信号に応じて前記電力供給ラインの通電をオン／オフする通電スイッチ手段（リレースイッチ１５及びリレーコイル１８）と備える。前記ラッチ手段が前記電流検出信号をラッチしている間は前記通電スイッチ手段が前記電力供給ラインの通電をオフする。【選択図】図１
2014079147.tif 000002
【特許請求の範囲】
【請求項１】
電力供給ラインと、
前記電力供給ラインを流れる電流を検出し、検出した電流の値に応じた電流検出信号を生成する電流検出手段と、
前記電流検出信号をラッチするラッチ手段と、
前記ラッチ手段の出力信号に応じて前記電力供給ラインの通電をオン／オフする通電スイッチ手段と備え、
前記ラッチ手段が前記電流検出信号をラッチしている間は前記通電スイッチ手段が前記電力供給ラインの通電をオフすることを特徴とする電源装置。
【請求項２】
前記電力供給ライン上に設けられるＰＴＣ素子と、
前記電力供給ラインに所定電圧値の電力を出力する電源ＩＣと、
前記電源ＩＣの入力側に設けられるヒューズとを備え、
前記電源ＩＣが過電流保護機能を有する請求項１に記載の電源装置。
【請求項３】
前記通電スイッチ手段による過電流保護は、前記ＰＴＣ素子による過電流保護、前記電源ＩＣの過電流保護機能による過電流保護、及び前記ヒューズによる過電流保護よりも小さい電流で保護がかかる請求項２に記載の電源装置。
【請求項４】
前記ラッチ手段の出力状態を報知する報知手段を備える請求項１〜３のいずれか１項に記載の電源装置。
【請求項５】
高周波信号を伝送する高周波信号伝送ラインを備え、
前記電力供給ラインによって搬送される電力を前記高周波信号伝送ラインに重畳して外部へ供給する請求項１〜４のいずれか１項に記載の電源装置。
【請求項６】
請求項５に記載の電源装置と、
ＳＤＩ信号を出力するＳＤＩ機器とを備え、
前記電源装置に設けられている高周波信号伝送ラインがＳＤＩ信号を伝送することを特徴とするＳＤＩ信号伝送システム。
【発明の詳細な説明】
【技術分野】
【０００１】
本発明は、過電流保護機能を有する電源装置及びそれを備えたＳＤＩ（Serial Digital Interface）信号伝送システムに関する。
【背景技術】
【０００２】
電源装置や電子機器に各種保護機能（例えば、過電流保護機能、過電圧保護機能、過熱保護機能など）を付加することが一般に行われている。
【０００３】
例えば、特許文献１には、通信機器や計測機器等の各種電子機器に適用することができ、応答性が良く、しかも低消費電力及び小型の過電流保護回路が開示されている。
【先行技術文献】
【特許文献】
【０００４】
【特許文献１】特開２００８−６７４８９号公報（段落００３９及び００４０）
【発明の概要】
【発明が解決しようとする課題】
【０００５】
しかしながら、特許文献１に開示されている過電流保護回路は、過電流保護がかかった後、自動的に元の状態に復帰する。そのため、復帰時点で異常が解消されていなければ再び過電流が流れ、再度過電流保護がかかる。すなわち、特許文献１に開示されている過電流保護回路では、一度過電流保護がかかった後でも繰り返し過電流が流れる場合があり、電源装置や負荷に余分なダメージを与えるおそれがあった。
【０００６】
本発明は、上記の状況に鑑み、過電流保護がかかった後に意図せず復帰することを防止することができる電源装置及びそれを備えたＳＤＩ信号伝送システムを提供することを目的とする。
【課題を解決するための手段】
【０００７】
上記目的を達成するために本発明に係る電源装置は、電力供給ラインと、前記電力供給ラインを流れる電流を検出し、検出した電流の値に応じた電流検出信号を生成する電流検出手段と、前記電流検出信号をラッチするラッチ手段と、前記ラッチ手段の出力信号に応じて前記電力供給ラインの通電をオン／オフする通電スイッチ手段と備え、前記ラッチ手段が前記電流検出信号をラッチしている間は前記通電スイッチ手段が前記電力供給ラインの通電をオフする構成（第１の構成）とする。
【０００８】
このような構成によると、前記通電スイッチ手段による過電流保護がかかった後は前記ラッチ手段が電源オフ状態にされるか、又は前記ラッチ手段がリセットされるかをしなければ、前記通電スイッチ手段による過電流保護が継続するので、過電流保護がかかった後に意図せず復帰することを防止することができる。
【０００９】
また、上記第１の構成の電源装置において、前記電力供給ライン上に設けられるＰＴＣ素子と、前記電力供給ラインに所定電圧値の電力を出力する電源ＩＣと、前記電源ＩＣの入力側に設けられるヒューズとを備え、前記電源ＩＣが過電流保護機能を有する構成（第２の構成）にすることが望ましい。
【００１０】
このような構成によると、過電流保護が多重にかかるので、いずれかの過電流保護に故障が生じた場合でも、正常な過電流保護によって過電流保護が実行されるので、過電流保護の確実性が高まる。
【００１１】
また、上記第２の構成の電源装置において、前記通電スイッチ手段による過電流保護は、前記ＰＴＣ素子による過電流保護、前記電源ＩＣの過電流保護機能による過電流保護、及び前記ヒューズによる過電流保護よりも小さい電流で保護がかかる構成（第３の構成）にすることが望ましい。
【００１２】
このような構成によると、前記電流検出手段、前記ラッチ手段、及び前記通電スイッチ手段に故障が生じていない限り、過電流が生じた場合には必ず前記通電スイッチ手段による過電流保護がかかるので、過電流保護がかかった後に意図せず復帰することを確実に防止することができる。
【００１３】
また、上記第１〜第３のいずれかの構成の電源装置において、前記ラッチ手段の出力状態を報知する報知手段を備える構成（第４の構成）にすることが望ましい。
【００１４】
このような構成によると、前記通電スイッチ手段による過電流保護がかかっているか否かを使用者が容易に把握することができる。
【００１５】
また、上記第１〜第４のいずれかの構成の電源装置において、高周波信号を伝送する高周波信号伝送ラインを備え、前記電力供給ラインによって搬送される電力を前記高周波信号伝送ラインに重畳して外部へ供給する構成（第５の構成）にすることが望ましい。
【００１６】
このような構成によると、高周波信号の伝送と電力の搬送を１つのケーブルで行うことができ、ケーブル数が減るため、利便性が高まる。
【００１７】
上記目的を達成するために本発明に係るＳＤＩ信号伝送システムは、上記第５の構成の電源装置と、ＳＤＩ信号を出力するＳＤＩ機器とを備え、前記電源装置に設けられている高周波信号伝送ラインがＳＤＩ信号を伝送する構成（第６の構成）とする。
【００１８】
このような構成によると、前記高周波信号伝送ラインによって伝送される高周波信号を高画質の映像信号にすることができる。
【発明の効果】
【００１９】
本発明によると、過電流保護がかかった後に意図せず復帰することを防止することができる電源装置及びそれを備えたＳＤＩ信号伝送システムを実現することができる。
【図面の簡単な説明】
【００２０】
【図１】本発明の一実施形態に係るＳＤＩ信号伝送システムの構成を示す図である。
【図２】電源分離器の一構成例を示す図である。
【図３】電源挿入部の一構成例を示す図である。
【図４】本発明の他の実施形態に係るＳＤＩ信号伝送システムの構成を示す図である。
【図５】電力供給ラインを流れる電流を示す図である。
【発明を実施するための形態】
【００２１】
本発明の実施形態について図面を参照して以下に説明する。図１は、本発明の一実施形態に係るＳＤＩ信号伝送システムの構成を示す図である。本発明の一実施形態に係るＳＤＩ信号伝送システムは、撮像機器１と、電源分離器２と、ＳＤＩ中継器３と、カメラドライブユニット４と、信号ケーブル５と、同軸ケーブル６及び７と、電源ケーブル８とを備えている。なお、本実施形態においては、撮像機器１及びＳＤＩ中継器３のそれぞれが請求項に記載しているＳＤＩ機器に相当し、カメラドライブユニット４が請求項に記載している電源装置に相当する。
【００２２】
撮像機器１は、撮像によって取得した撮像信号をＳＤＩ信号（ＳＤ−ＳＤＩ信号又はＨＤ−ＳＤＩ信号）に変換して出力する。撮像機器１から出力されたＳＤＩ信号は、信号ケーブル５、電源分離器２、及び同軸ケーブル６を経由してＳＤＩ中継器３に伝送される。
【００２３】
電源分離器２は、同軸ケーブル６に重畳されているＤＣ２４ＶのＤＣ電力をＳＤＩ信号伝送ラインから分離して電源ケーブル８を介して撮像機器１に供給する。撮像機器１は、電源分離器２から供給されたＤＣ電力を電源として利用する。電源分離器２の構成としては、例えば図２に示すように、電源ケーブル８が接続される電源出力端子２１と、信号ケーブル５が接続されるＳＤＩ入力端子２２と、同軸ケーブル６が接続されるＳＤＩ出力端子２３と、ＳＤＩ入力端子２２−ＳＤＩ出力端子２３間に配置される直流阻止用コンデンサ２４と、ＳＤＩ出力端子２３と直流阻止用コンデンサ２４との接続点２５−電源出力端子２１間に配置される高周波阻止用コイル２６と、電源出力端子２１と高周波阻止用コイル２６との接続点２７−グランド電位間に配置される高周波接地用コンデンサ２８とを備える構成を挙げることができる。
【００２４】
ＳＤＩ中継器３は、ＳＤＩ信号の長距離伝送を可能にするための機器であって、同軸ケーブル６から受け取ったＳＤＩ信号を補正して同軸ケーブル７に出力し、ＳＤＩ信号伝送ラインで発生するＳＤＩ信号の減衰や歪みを補償する。また、ＳＤＩ中継器３は、同軸ケーブル７に重畳されているＤＣ電力を搬送して同軸ケーブル６に重畳する。
【００２５】
カメラドライブユニット４は、同軸ケーブル７を経由してＳＤＩ中継器３から送られてきたＳＤＩ信号をＨＤＭＩ（High Definition Multimedia Interface）信号に変換して外部に出力するとともに、商用交流電源（不図示）から受け取ったＡＣ１００ＶのＡＣ電力をＤＣ２４ＶのＤＣ電力に変換し、変換したＤＣ２４ＶのＤＣ電力をＳＤＩ信号伝送ラインに重畳することによって、ＤＣ２４ＶのＤＣ電力を同軸ケーブル７に重畳する。
【００２６】
カメラドライブユニット４は、電源挿入部９と、信号変換部１０と、ヒューズ１１と、過電流保護機能付きＡＣ／ＤＣコンバーター１２と、電流検出用抵抗１３と、ポリマー系のＰＴＣ（Positive Temperature Coefficient）素子であるポリスイッチ（登録商標）１４と、リレースイッチ１５と、差動増幅器１６と、セットリセットフリップフロップ１７と、リレーコイル１８と、点灯時に緑色光を発する緑色ＬＥＤ１９と、点灯時に赤色光を発する赤色ＬＥＤ２０とを備えている。
【００２７】
なお、本実施形態においては、過電流保護機能付きＡＣ／ＤＣコンバーター１２が請求項に記載している電源ＩＣに相当し、電流検出用抵抗１３及び差動増幅器１６によって構成される回路が請求項に記載している電流検出手段に相当し、ポリスイッチ（登録商標）１４が請求項に記載しているＰＴＣ素子に相当し、リレースイッチ１５及びリレーコイル１８によって構成されるリレーが請求項に記載している通電スイッチ手段に相当し、セットリセットフリップフロップ１７が請求項に記載しているラッチ手段に相当し、緑色ＬＥＤ１９及び赤色ＬＥＤ２０が請求項に記載している報知手段に相当する。
【００２８】
また、本実施形態においては、同軸ケーブル７が接続される同軸ケーブルコネクタから電源挿入部９及び信号変換部１０を経由してＨＤＭＩ信号が出力されるＨＤＭＩケーブルコネクタに至るまでのＳＤＩ信号伝送ラインが請求項に記載している高周波信号伝送ラインに相当し、ＡＣ１００ＶのＡＣ電力が入力される電源入力端子からヒューズ１１、過電流保護機能付きＡＣ／ＤＣコンバーター１２、電流検出用抵抗１３、ポリスイッチ（登録商標）１４、及びリレースイッチ１５を経由して電源挿入部９内の接続点９３（図３参照）に至るまでの電力供給ラインが請求項に記載している電力供給ラインに相当する。
【００２９】
電源挿入部９は、同軸ケーブル７から受け取ったＳＤＩ信号を信号変換部１０に出力する。また、電源挿入部９は、過電流保護機能付きＡＣ／ＤＣコンバーター１２から出力されるＤＣ２４ＶのＤＣ電力をＳＤＩ信号伝送ラインに重畳することによって、ＤＣ２４ＶのＤＣ電力を同軸ケーブル７に重畳する。電源挿入部９の構成としては、例えば図３に示すように、同軸ケーブル７が接続される同軸ケーブル接続端子９１と、同軸ケーブル接続端子９１に一端が接続される直流阻止用コンデンサ９２と、同軸ケーブル接続端子９１と直流阻止用コンデンサ９２との接続点９３に一端が接続される高周波阻止用コイル９４と、高周波阻止用コイル９４の他端−グランド電位間に配置される高周波接地用コンデンサ９５とを備える構成を挙げることができる。この構成では、直流阻止用コンデンサ９２の他端からＳＤＩ信号が出力され、ＤＣ２４ＶのＤＣ電力が高周波阻止用コイル９４と高周波接地用コンデンサ９５との接続点９６に供給される。
【００３０】
信号変換部１０は、電源挿入部９から出力されるＳＤＩ信号をＨＤＭＩ信号に変換する。なお、例えば、カメラドライブユニット４から出力される高周波信号を受け取って処理する高周波機器がＳＤＩ信号の入力インターフェースを備えＳＤＩ信号を処理できる仕様である場合には、カメラドライブユニット４から信号変換部１０を取り除くことも可能である。
【００３１】
ヒューズ１１、過電流保護機能付きＡＣ／ＤＣコンバーター１２、電流検出用抵抗１３、ポリスイッチ（登録商標）１４、及びリレースイッチ１５はいずれも電力供給ライン上に設けられ、ヒューズ１１は過電流保護機能付きＡＣ／ＤＣコンバーター１２の入力側に配置され、電流検出用抵抗１３、ポリスイッチ（登録商標）１４、及びリレースイッチ１５は過電流保護機能付きＡＣ／ＤＣコンバーター１２の出力側に配置される。
【００３２】
過電流保護機能付きＡＣ／ＤＣコンバーター１２は、商用交流電源（不図示）から受け取ったＡＣ１００ＶのＡＣ電力をＤＣ２４ＶのＤＣ電力に変換する。また、過電流保護機能付きＡＣ／ＤＣコンバーター１２は、商用交流電源（不図示）から受け取ったＡＣ１００ＶのＡＣ電力をＤＣ５ＶのＤＣ電力にも変換しており、ＤＣ５ＶのＤＣ電力をセットリセットフリップフロップ１７に供給する。セットリセットフリップフロップ１７はＤＣ５ＶのＤＣ電力を電源として利用する。過電流保護機能付きＡＣ／ＤＣコンバーター１２は、例えば、市販されている汎用の電源ＩＣを用いることができる。過電流保護機能付きＡＣ／ＤＣコンバーター１２の過電流保護機能を実現する内部回路の構成は特に限定されないが、例えば、過電流保護機能付きＡＣ／ＤＣコンバーター１２の入力電流又は出力電流を検出する電流検出回路と、その電流検出回路から出力される電流検出信号に応じてオン／オフ制御される半導体スイッチとによって構成される内部回路を挙げることができる。
【００３３】
差動増幅器１６は、電流検出用抵抗１３の両端電位差を増幅した信号（電流検出信号）をセットリセットフリップフロップ１７のセット端子に出力する。セットリセットフリップフロップ１７の反転Ｑ出力端子にリレーコイル１８の一端及び緑色ＬＥＤ１９のアノードが接続されており、セットリセットフリップフロップ１７のＱ出力端子に赤色ＬＥＤ２０のアノードが接続されている。リレーコイル１８の他端、緑色ＬＥＤ１９のカソード、及び赤色ＬＥＤ２０のカソードはグランド電位に接続されている。
【００３４】
このような構成によると、電流検出用抵抗１３に過電流が流れて電流検出信号がＨｉｇｈレベルの信号になると、セットリセットフリップフロップ１７がセットされ、リレーコイル１８に電流が流れなくなりリレースイッチ１５がオフ状態になり、電力供給ラインの通電がオフになる。すなわち、リレーによる過電流保護がかかる。電流検出用抵抗１３に過電流が流れて電流検出信号が一旦Ｈｉｇｈレベルの信号になると、セットリセットフリップフロップ１７が電源オフ状態にされるか又はセットリセットフリップフロップ１７がリセットされるかしなければ、その後電流検出信号がＬｏｗレベルの信号に変わっても、セットリセットフリップフロップ１７の出力状態は変化しないため、リレースイッチ１５のオフ状態が継続し、リレーによる過電流保護が継続する。したがって、過電流保護がかかった後に意図せず復帰することを防止することができる。
【００３５】
本実施形態では、カメラドライブ４にＡＣ１００ＶのＡＣ電力を供給することを停止することで、リレーによる過電流保護から元の状態に復帰させるようにする。なお、セットリセットフリップフロップ１７のリセット端子へのリセット信号の供給／非供給を切り替えることができる回路をカメラドライブ４に設け、セットリセットフリップフロップ１７をリセットさせることができるようにし、セットリセットフリップフロップ１７をリセットさせることで、リレーによる過電流保護から元の状態に復帰させるようにしてもよい。
【００３６】
また、リレーによる過電流保護がかかる期間は赤色ＬＥＤ２０に電流が流れ続けるので、赤色ＬＥＤ２０による赤色点灯が継続する。これに対して、リレーによる過電流保護がかかっていない期間は緑色ＬＥＤ１９に電流が流れ続けるので、緑色ＬＥＤ１９による緑色点灯が継続する。これにより、リレーによる過電流保護がかかっているか否かを使用者がＬＥＤの点灯色によって容易に把握することができる。なお、リレーによる過電流保護がかかっているか否かを表示によって報知するではなく、例えば、赤色ＬＥＤ２０の代わりに電子ブザー等を設け、表示以外の手法によって報知するようにしてもよい。
【００３７】
そして、過電流保護に関連する各素子の回路定数等の設定により、本実施形態では、リレーによる過電流保護は、ポリスイッチ（登録商標）１４による過電流保護、過電流保護機能付きＡＣ／ＤＣコンバーター１２の過電流保護機能による過電流保護、及びヒューズ１１による過電流保護よりも小さい電流で保護がかかる。これにより、電流検出用抵抗１３、差動増幅器１６、セットリセットフリップフロップ１７、リレーコイル１８、及びリレースイッチ１５に故障が生じていない限り、過電流が生じた場合には必ずリレーによる過電流保護がかかるので、過電流保護がかかった後に意図せず復帰することを確実に防止することができる。
【００３８】
ポリスイッチ（登録商標）１４による過電流保護と過電流保護機能付きＡＣ／ＤＣコンバーター１２の過電流保護機能による過電流保とは、どちらがより小さい電流で保護がかかるようにしてもよい。ヒューズ１１による過電流保護がかかると、ヒューズ１１の交換が必要となるため、ヒューズ１１による過電流保護は、リレーによる過電流保護、ポリスイッチ（登録商標）１４による過電流保護、及び過電流保護機能付きＡＣ／ＤＣコンバーター１２の過電流保護機能による過電流保護よりも大きい電流で保護がかかることが望ましい。
【００３９】
なお、上述した実施形態では、撮像機器１と電源分離器２とが別個の機器であるが、これらを一つの機器（ＤＣ電力重畳対応型撮像機器）に統合してもよい。一つの機器（ＤＣ電力重畳対応型撮像機器）に統合する場合、例えば、電源出力端子２１（図２参照）、電源ケーブル８（図１参照）、及び撮像機器１の電源入力端子（不図示）がプリント配線基板のプリント配線などに置き換わり、撮像機器１のＳＤＩ出力端子（不図示）、信号ケーブル５（図１参照）、及びＳＤＩ入力端子２２（図２参照）がプリント配線基板のプリント配線などに置き換わる。
【００４０】
また、上述した実施形態では、ＳＤＩ信号伝送システムがＳＤＩ中継器３を備える構成であったが、信号伝送距離が短い場合などには、ＳＤＩ中継器を設けずに電源分離器２とカメラドライブユニット４とを１本の同軸ケーブルで接続しても構わない。
【００４１】
また、上述した実施形態において用いられたＤＣ２４ＶのＤＣ電力、ＤＣ５ＶのＤＣ電力、及びＡＣ１００ＶのＡＣ電力はあくまで例示であり、他の電圧値の電力を用いても構わない。また、過電流保護機能付きＡＣ／ＤＣコンバーター１２の代わりに過電流保護機能を有さないＡＣ／ＤＣコンバーターを用いて構わない。また、ＡＣ／ＤＣコンバーターの代わりにＤＣ／ＤＣコンバーターを用いてよく、撮像装置１の仕様に適合するのであれば、ＡＣ／ＤＣコンバーターの代わりにＤＣ電力をＡＣ電力に変換するインバーターを用いてもよい。
【００４２】
また、上述した実施形態では、本発明に係る電源装置をカメラドライブユニットに適用して実施しているが、これに限らず、本発明に係る電源装置は、高周波機器に接続な可能な電子機器を始めとする、電源装置を搭載する電子機器全般に適用して実施することができる。
【００４３】
上述した実施形態において用いたカメラドライブユニット４は、撮像機器１に異常が生じても、ＡＣ１００ＶのＡＣ電力が入力される電源入力端子からヒューズ１１、過電流保護機能付きＡＣ／ＤＣコンバーター１２、電流検出用抵抗１３、ポリスイッチ（登録商標）１４、及びリレースイッチ１５を経由して電源挿入部９内の接続点９３（図３参照）に至るまでの電力供給ラインを流れる電流の値に大きな変化がなければ、当該電力供給ラインによって搬送されるＤＣ２４ＶのＤＣ電力をＳＤＩ信号伝送ラインに重畳して撮像機器１へ供給することを停止できない構成である。
【００４４】
この問題を解決することができるＳＤＩ信号伝送システム、すなわち、撮像機器に異常が生じているが重畳用の電力供給ラインを流れる電流の値に大きな変化がない場合であっても、重畳用の電力供給ラインによって搬送される電力をＳＤＩ信号伝送ラインに重畳して撮像機器へ供給することを停止できるＳＤＩ信号伝送システムの一例を図４に示す。なお、図４において図１と同一の部分には同一の符号を付し、詳細な説明を省略する。また、図４において、カメラドライブユニットの入力側に設けられる撮像機器などは基本的に図１の場合と同様であるため、図示を省略する。
【００４５】
カメラドライブユニット４’は、４ｃｈ分のＳＤＩ信号を処理することができるカメラドライブユニットであり、ｃｈ１フロントエンド部Ｆ１と、ｃｈ２フロントエンド部Ｆ２と、ｃｈ３フロントエンド部Ｆ３と、ｃｈ４フロントエンド部Ｆ４とを備える。
【００４６】
ｃｈ１フロントエンド部Ｆ１は、電源挿入部９Ａ、信号検出部３０Ａ、電流検出用抵抗１３Ａ、ポリスイッチ（登録商標）１４Ａ、リレースイッチ１５Ａ、差動増幅器１６Ａ、リレーコイル１８Ａ、及びバッファアンプ３１Ａを備える。ｃｈ２〜ｃｈ４フロントエンド部Ｆ２〜Ｆ４もｃｈ１フロントエンド部Ｆ１と同様の回路構成であるため、ここでは、代表してｃｈ１フロントエンド部Ｆ１で説明を行う。
【００４７】
信号検出部３０Ａは、電源挿入部９Ａから供給されるＳＤＩ信号を２分配し、一方はｃｈ１ＳＤＩ信号としてカメラドライブユニット４’の外部に出力され、他方は信号変換部１０’に出力される。信号変換部１０’は図１に示すカメラドライブユニット４の信号変換部１０と同様にＳＤＩ信号をＨＤＭＩ信号に変換するが、信号変換部１０とは異なり、４ｃｈ分の処理が可能である。したがって、信号変換部１０’からはｃｈ１〜ｃｈ４ＨＤＭＩ信号が出力される。ｃｈ１〜ｃｈ４ＨＤＭＩ信号に基づく４つの出力画像は例えば４分割される表示画面に同時に表示することができる。
【００４８】
また、カメラドライブユニット４’は、マイクロコンピューター２９を備えている。本実施形態において、過電流保護機能付きＡＣ／ＤＣコンバーター１２’は、ＤＣ５ＶのＤＣ電力をマイクロコンピューター２９に供給する。過電流保護機能付きＡＣ／ＤＣコンバーター１２’は、図１に示すカメラドライブユニット４の過電流保護機能付きＡＣ／ＤＣコンバーター１２と同様にＡＣ／ＤＣ変換を行うが、過電流保護機能付きＡＣ／ＤＣコンバーター１２とは異なり、４ｃｈ分のＡＣ／ＤＣ変換を行う。
【００４９】
マイクロコンピューター２９は、ｃｈ１〜ｃｈ４用のラッチ回路としての機能を有している。例えば、電流検出用抵抗１３Ａに過電流が流れて電流検出信号（差動増幅器１６Ａの出力信号）がＨｉｇｈレベルの信号になると、ｃｈ１用のラッチ回路がセットされ、リレーコイル１８Ａに電流が流れなくなりリレースイッチ１５Ａがオフ状態になり、ｃｈ１用の電力供給ラインの通電がオフになる。すなわち、リレーによる過電流保護がかかる。電流検出用抵抗１３Ａに過電流が流れて電流検出信号が一旦Ｈｉｇｈレベルの信号になると、マイクロコンピューター２９が電源オフ状態にされるか又はｃｈ１用のラッチ回路がリセットされるかしなければ、その後電流検出信号がＬｏｗレベルの信号に変わっても、ｃｈ１用のラッチ回路の出力状態は変化しないため、リレースイッチ１５Ａのオフ状態が継続し、リレーによる過電流保護が継続する。
【００５０】
さらに、マイクロコンピューター２９は、ｃｈ１用のラッチ回路がセット時の出力状態を保持している期間、すなわちｃｈ１用のリレーによる過電流保護がかかる期間、赤色ＬＥＤ２０Ａに電流を流し続ける。したがって、ｃｈ１用のリレーによる過電流保護がかかる期間は、赤色ＬＥＤ２０Ａによる赤色点灯が継続する。これに対して、マイクロコンピューター２９は、ｃｈ１用のラッチ回路がセット時の出力状態を保持していない期間、すなわちｃｈ１用のリレーによる過電流保護がかかっていない期間、緑色ＬＥＤ１９Ａに電流を流し続ける。したがって、ｃｈ１用のリレーによる過電流保護がかかっていない期間は、緑色ＬＥＤ１９Ａによる緑色点灯が継続する。これにより、ｃｈ１用のリレーによる過電流保護がかかっているか否かを使用者がＬＥＤの点灯色によって容易に把握することができる。ただし、後述するように、ｃｈ１用のリレーによる過電流保護がかかっていない期間であっても、リレースイッチ１５Ａがオンになってから一定時間が経過した以後に、ｃｈ１フロントエンド部Ｆ１に設けられている信号検出部３０Ａの信号検出出力端子から正常信号を取得できない場合には、緑色ＬＥＤ１９Ａのみならず赤色ＬＥＤ２０Ａも点灯する。ここでは、ｃｈ１を例に説明したが、ｃｈ２〜ｃｈ４についても同様であるため、マイクロコンピューター２９には、ｃｈ２用の緑色ＬＥＤ１９Ｂ及び赤色ＬＥＤ２０Ｂ、ｃｈ３用の緑色ＬＥＤ１９Ｃ及び赤色ＬＥＤ２０Ｃ、並びにｃｈ４用の緑色ＬＥＤ１９Ｄ及び赤色ＬＥＤ２０Ｄも接続されている。
【００５１】
ｃｈ１フロントエンド部Ｆ１に設けられている信号検出部３０Ａは、ＳＤＩ信号を入力できているか否かを判別する機能を有しており、ＳＤＩ信号を入力できている場合には信号検出出力端子から正常信号を出力する。マイクロコンピューター２９は、ｃｈ１フロントエンド部Ｆ１に設けられている信号検出部３０Ａの信号検出出力端子から出力される信号を取得し、同様に、ｃｈ２〜ｃｈ４フロントエンド部Ｆ２〜Ｆ４に設けられている各信号検出部の各信号検出出力端子から出力される各信号を取得する。
【００５２】
マイクロコンピューター２９は、リレースイッチ１５Ａがオンになってから一定時間が経過した以後に、ｃｈ１フロントエンド部Ｆ１に設けられている信号検出部３０Ａの信号検出出力端子から正常信号を取得できない場合、ｃｈ１用の撮像機器の故障などが考えられるため、リレーコイル１８Ａに電流を流さないようにする。これにより、リレースイッチ１５Ａがオフになる。そして、マイクロコンピューター２９は、リレースイッチ１５Ａがオンになってから一定時間が経過した以後に、ｃｈ１フロントエンド部Ｆ１に設けられている信号検出部３０Ａの信号検出出力端子から正常信号を取得できない場合であって、且つ、ｃｈ１用のラッチ回路がセット時の出力状態を保持していない期間であれば、緑色ＬＥＤ１９Ａと赤色ＬＥＤ２０Ａの両方に電流を流し、緑色ＬＥＤ１９Ａと赤色ＬＥＤ２０Ａの両方を点灯させる。なお、緑色ＬＥＤ１９Ａと赤色ＬＥＤ２０Ａは近接配置されている。このため、緑色ＬＥＤ１９Ａと赤色ＬＥＤ２０Ａの両方が点灯している場合、使用者はオレンジ色点灯であると認識する。このオレンジ色点灯は、過電流を伴わない異常（撮像機器が接続されていない場合も含む）を示している。これに対して、マイクロコンピューター２９は、リレースイッチ１５Ａがオンになってから一定時間が経過した以後に、ｃｈ１フロントエンド部Ｆ１に設けられている信号検出部３０Ａの信号検出出力端子から正常信号を取得できない場合であって、且つ、ｃｈ１用のラッチ回路がセット時の出力状態を保持している期間であれば、赤色ＬＥＤ２０Ａのみに電流を流す。ここでは、ｃｈ１を例に説明したが、ｃｈ２〜ｃｈ４についても同様である。
【００５３】
次に、カメラドライブユニット４’にＡＣ１００ＶのＡＣ電力が供給され、カメラドライブユニット４’の電源スイッチ（例えば、ヒューズ１１と過電流保護機能付きＡＣ／ＤＣコンバーター１２’との間に設けられ、使用者の操作によってオン／オフの切り換えが可能なスイッチ）がオフからオンに切り換わったときの動作について、図４及び図５を参照して説明する。
【００５４】
まず始めに、過電流保護機能付きＡＣ／ＤＣコンバーター１２’からＤＣ５ＶのＤＣ電力がマイクロコンピューター２９に供給されて、マイクロコンピューター２９が動作状態となる（ｔ０時点）。次に、マイクロコンピューター２９は過電流保護機能付きＡＣ／ＤＣコンバーター１２’にｃｈ１用の電力供給ラインにＤＣ２４ＶのＤＣ電力を供給するように指示し、その指示に従って過電流保護機能付きＡＣ／ＤＣコンバーター１２’はｃｈ１用の電力供給ラインにＤＣ２４ＶのＤＣ電力を供給する（ｔ１時点）。
【００５５】
ｃｈ１用の電力供給ラインにＤＣ２４ＶのＤＣ電力が供給された直後には、ｃｈ１用の撮像機器などの立ち上がりによってｃｈ１用の電力供給ラインに突入電流が流れる。また、ｃｈ１用の電力供給ラインにＤＣ２４ＶのＤＣ電力が供給された直後には、ｃｈ１用の撮像機器などの立ち上がりが完了していないので、ＳＤＩ信号が伝送されてこない。このため、マイクロコンピューター２９は、ｔ１時点から一定時間Ｔｃが経過した以後に、ｃｈ１用の電流検出信号（差動増幅器１６Ａの出力信号）に応じたリレーの制御及び信号検出部３０Ａの信号検出出力端子から正常信号の取得有無に応じたリレーの制御を行い、それより前はこれらのリレーの制御を行わず、リレースイッチ１５Ａをオン状態に保つようにリレーコイル１８Ａに電流を流し続ける。
【００５６】
ｔ１時点より後、より詳細にはｃｈ１用の電力供給ラインに突入電流が流れなくなった後、マイクロコンピューター２９は過電流保護機能付きＡＣ／ＤＣコンバーター１２’にｃｈ２用の電力供給ラインにＤＣ２４ＶのＤＣ電力を供給するように指示し、その指示に従って過電流保護機能付きＡＣ／ＤＣコンバーター１２’はｃｈ２用の電力供給ラインにＤＣ２４ＶのＤＣ電力を供給する（ｔ２時点）。マイクロコンピューター２９は、ｃｈ１の場合と同様に、ｔ２時点から一定時間Ｔｃが経過した以後に、ｃｈ２用の電流検出信号（ｃｈ２用の差動増幅器の出力信号）に応じたリレーの制御及びｃｈ２フロントエンド部Ｆ２に設けられている信号検出部の信号検出出力端子から正常信号の取得有無に応じたリレーの制御を行い、それより前はこれらのリレーの制御を行わず、ｃｈ２用のリレースイッチをオン状態に保つようにｃｈ２用のリレーコイルに電流を流し続ける。
【００５７】
ｃｈ３、ｃｈ４についても、ｃｈ１、ｃｈ２の場合と同様であるため、説明を省略する。各チャンネル間で電力供給ラインにＤＣ２４ＶのＤＣ電力を供給し始めるタイミング（ｔ１時点〜ｔ４時点）をずらすことで、過電流保護機能付きＡＣ／ＤＣコンバーター１２’の最大出力電流値を小さくすることができる。これにより、過電流保護機能付きＡＣ／ＤＣコンバーター１２’の低コスト化を図ることができる。
【００５８】
なお、上述した図４に示す実施形態において、カメラドライブユニット４’の入力側に設けられる撮像機器などの構成は図１と同一の場合に限定されない。例えば、信号伝送距離が短い場合などには、ＳＤＩ中継器を設けずに電源分離器２とカメラドライブユニット４’とを１本の同軸ケーブルで接続しても構わない。
【００５９】
また、上述した図４に示す実施形態において用いられたＤＣ２４ＶのＤＣ電力、ＤＣ５ＶのＤＣ電力、及びＡＣ１００ＶのＡＣ電力はあくまで例示であり、他の電圧値の電力を用いても構わない。また、過電流保護機能付きＡＣ／ＤＣコンバーター１２’の代わりに過電流保護機能を有さないＡＣ／ＤＣコンバーターを用いて構わない。また、ＡＣ／ＤＣコンバーターの代わりにＤＣ／ＤＣコンバーターを用いてよく、撮像装置１の仕様に適合するのであれば、ＡＣ／ＤＣコンバーターの代わりにＤＣ電力をＡＣ電力に変換するインバーターを用いてもよい。
【００６０】
また、上述した図４に示す実施形態において用いられたカメラドライブユニット４’は４ｃｈ分のカメラドライブユニットであったが、チャンネル数はあくまで例示であり、他のチャンネル数であっても構わない。
【００６１】
また、上述した図４に示す実施形態では、本発明に係る電源装置をカメラドライブユニットに適用して実施しているが、これに限らず、本発明に係る電源装置は、高周波機器に接続な可能な電子機器を始めとする、電源装置を搭載する電子機器全般に適用して実施することができる。
【００６２】
また、上述した図４に示す実施形態では、過電流保護がかかった後に意図せず復帰することを防止するために、マイクロコンピューター２９が、ｃｈ１〜ｃｈ４用のラッチ回路としての機能を有している構成にしているが、過電流保護がかかった後に意図せず復帰することを防止しなくても良い場合には当該機能を有さない構成にしても構わない。
【００６３】
すなわち、高周波機器に異常が生じているが重畳用の電力供給ラインを流れる電流の値に大きな変化がない場合であっても、重畳用の電力供給ラインによって搬送される電力を高周波信号伝送ラインに重畳して前記高周波機器へ供給することを停止できる電源装置は、少なくとも次のような構成であればよい。
【００６４】
その構成は、
電力供給ラインと、
高周波信号を伝送する高周波信号伝送ラインと、
前記高周波信号伝送ライン上に設けられる信号検出手段とを備え、前記電力供給ラインによって搬送される電力を前記高周波信号伝送ラインに重畳して外部へ供給する電源装置であって、
前記電力供給ラインを流れる電流を検出し、検出した電流の値に応じた電流検出信号を生成する電流検出手段と、
前記電流検出手段の出力信号に応じて前記電力供給ラインの通電をオン／オフする第１の通電スイッチ手段と、
第２の通電スイッチ手段とを備え、
前記信号検出手段は、所定の高周波信号を入力できているか否かを判別する機能を有しており、所定の高周波信号を入力できている場合には信号検出出力端子から正常信号を出力し、前記第２の通電スイッチ手段は、前記信号検出出力端子から正常信号が出力されるか否かに応じて前記電力供給ラインの通電をオン／オフする構成である。
【００６５】
また、前記第１の通電スイッチ手段と前記第２の通電スイッチ手段とは一つのスイッチであることが望ましい。これにより、部品点数を削減することができる。
【００６６】
また、前記第１の通電スイッチ手段による過電流保護がかかっている場合と、前記信号検出出力端子から正常信号が出力されており且つ前記第１の通電スイッチ手段による過電流保護がかかっていない場合と、前記信号検出出力端子から正常信号が出力されておらず且つ前記第１の通電スイッチ手段による過電流保護がかかっていない場合とを区別して報知する報知手段を備えることが望ましい。これにより、電源装置の状況を使用者が容易に把握することができる。
【００６７】
また、前記第１の通電スイッチ手段及び前記第２の通電スイッチ手段がオン状態になり、前記電力供給ラインによって搬送される電力が前記高周波信号伝送ラインに重畳され外部へ供給され始めてから一定時間が経過した以後に、前記第１の通電スイッチ手段が前記電流検出手段の出力信号に応じて前記電力供給ラインの通電をオン／オフし、前記第２の通電スイッチ手段が前記信号検出出力端子から正常信号が出力されるか否かに応じて前記電力供給ラインの通電をオン／オフすることが望ましい。これにより、通電開始時の突入電流や通電開始時の電源装置への高周波信号の未到達によって、前記電力供給ラインが遮断されることを防止することができる。
【００６８】
また、上記いずれかの構成の電源装置を用いて、上記いずれかの構成の電源装置と、ＳＤＩ信号を出力するＳＤＩ機器とを備え、前記電源装置に設けられている高周波信号伝送ラインがＳＤＩ信号を伝送するＳＤＩ信号伝送システムを構築することもできる。
【符号の説明】
【００６９】
１  撮像機器
２  電源分離器
３  ＳＤＩ中継器
４、４’  カメラドライブユニット
５  信号ケーブル
６、７  同軸ケーブル
８  電源ケーブル
９、９Ａ  電源挿入部
１０、１０’  信号変換部
１１  ヒューズ
１２、１２’  過電流保護機能付きＡＣ／ＤＣコンバーター
１３、１３Ａ  電流検出用抵抗
１４、１４Ａ  ポリスイッチ（登録商標）
１５、１５Ａ  リレースイッチ
１６、１６Ａ  差動増幅器
１７  セットリセットフリップフロップ
１８、１８Ａ  リレーコイル
１９、１９Ａ〜１９Ｄ  緑色ＬＥＤ
２０、２０Ａ〜２０Ｄ  赤色ＬＥＤ
２１  電源出力端子
２２  ＳＤＩ入力端子
２３  ＳＤＩ出力端子
２４、４４  直流阻止用コンデンサ
２５、２７、９３、９６  接続点
２６、９４  高周波阻止用コイル
２８、９５  高周波接地用コンデンサ
２９  マイクロコンピューター
３０Ａ  信号検出部
３１Ａ  バッファアンプ
９１  同軸ケーブル接続端子
Ｆ１〜Ｆ４  ｃｈ１〜ｃｈ４フロントエンド部
【図１】
2014079147.tif 000003
【図２】
2014079147.tif 000004
【図３】
2014079147.tif 000005
【図４】
2014079147.tif 000006
【図５】
2014079147.tif 000007